(57)【要約】      （修正有）【課題】ボトルの携帯時にベルトや着衣から外れにくく、装着位置がずれにくいボトルホルダーを提供する。【解決手段】ボトルホルダー１０は、胴のベルトＢの内側又はベルトＢにより締め付けられる着衣の内側へ上方より差し込むことが可能な帯板状の脚部１１の上端部に、ボトルＰを吊り下げた状態で支持することが可能な支持部１２が一体に形成されており、脚部１１の少なくともベルト又は着衣と接する側の面１１ａの全面又は一部に、ベルトの内面との間又は着衣の内面との間のすべりを防止する凹凸面で構成されたすべり止め部１３が設けられている。【選択図】図１
0003195863.tif 000002
【実用新案登録請求の範囲】
【請求項１】
胴のベルトの内側又はベルトにより締め付けられる着衣の内側へ上方より差し込むことが可能な帯板状の脚部の上端部に、ボトルを吊り下げた状態で支持することが可能な支持部が形成されてなるボトルホルダーにおいて、
前記脚部の少なくともベルト又は着衣と接する側の面の全面又は一部に、ベルトの内面との間又は着衣の内面との間のすべりを防止するすべり止め部が設けられてなるボトルホルダー。
【請求項２】
前記すべり止め部は、凹凸面により構成されている請求項１に記載のボトルホルダー。
【請求項３】
前記凹凸面は、互いに平行な複数の凹溝と、隣合う凹溝間に形成される複数の凸条とで構成されている請求項２に記載のボトルホルダー。
【請求項４】
前記各凹溝および各凸条は、横方向に形成されたものであり、各凸条は、凸条の長さ方向と直交する方向の断面形状が支持部の側へ傾いた鋸刃状に形成されている請求項３に記載のボトルホルダー。
【請求項５】
前記凹凸面は、互いに平行な複数の第１の凹溝と、第１の凹溝と交差する互いに平行な複数の第２の凹溝と、第１、第２の凹溝により囲まれる複数の凸部とで形成されている請求項２に記載のボトルホルダー。
【請求項６】
前記支持部は、下面が脚部のすべり止め部が設けられた面に対して鋭角をなしている請求項１に記載のボトルホルダー。
【請求項７】
前記すべり止め部は、すべり止め部以外の部分より摩擦係数が大きな材質の素材により形成されている請求項１に記載のボトルホルダー。
【請求項８】
前記脚部は、ボトルの胴部の側面に貼設される第１の面ファスナーと対向する位置に、前記第１の面ファスナーと噛み合う第２の面ファスナーが取り付けられている請求項１に記載のボトルホルダー。
【請求項９】
前記脚部は切り離し可能な切り離し部分を有し、前記切り離し部分には、ナイフ、スプーン、フォークのいずれかの食器、靴べら、レンズのいずれかの構成が付加されている請求項１から８のいずれかに記載のボトルホルダー。
【考案の詳細な説明】
【技術分野】
【０００１】
本考案は、ペットボトル等のボトルをベルト等に吊り下げて携帯するのに好適なボトルホルダーに関する。
【背景技術】
【０００２】
従来、その種のボトルホルダーは、ボトル蓋部を嵌め込むことが可能な大きさの孔と、ベルトの内側に挟まれる押込み片とを備えたものである。孔と押込み片との間は折り目により屈曲させている。ボトルの携帯時には、孔にボトルの蓋部を嵌め込み、押込み片をベルトの内側に挟むことで、ボトルホルダーをベルトに装着する（例えば、特許文献１参照）。
【先行技術文献】
【特許文献】
【０００３】
【特許文献１】特開２００６−３４１９２３号公報
【考案の概要】
【考案が解決しようとする課題】
【０００４】
しかし、特許文献１に記載のボトルホルダーは、プラスチックで構成され、押込み片のベルトと接触する面がすべり易い平坦な面であるため、押込み片をベルトの内側に挟んだときに、押込み片のベルトと接触する面とベルトとの間の摩擦が小さく、ボトルの携帯時にボトルホルダーがベルトから抜け落ちたり、ボトルホルダーの装着位置が横にずれたりするという問題がある。
【０００５】
本考案は、上記した課題に着目してなされたものであり、ベルトや着衣から脱落しにくく、装着位置がずれにくいボトルホルダーを提供することを目的とする。
【課題を解決するための手段】
【０００６】
本考案の上記目的は、胴のベルトの内側又はベルトにより締め付けられる着衣の内側へ上方より差し込むことが可能な帯板状の脚部の上端部に、ボトルを吊り下げた状態で支持することが可能な支持部が形成されてなるボトルホルダーにおいて、前記脚部の少なくともベルト又は着衣と接する側の面の全面又は一部に、ベルトの内面との間又は着衣の内面との間のすべりを防止するすべり止め部が設けられてなるボトルホルダーにより達成される。
【０００７】
上記の構成によれば、脚部の少なくともベルト又は着衣と接する側の面にすべり止め部が設けられているので、脚部がベルトや着衣の内側（ボトルホルダーの使用者の体側）に差し込まれたときに、ベルト又は着衣と脚部との間で生じる摩擦力により、ボトルホルダーがベルトや着衣から抜け落ちたり装着位置からずれたりすることを防ぐことができる。
【０００８】
上記構成のボトルホルダーの好ましい実施態様においては、前記すべり止め部は、凹凸面により構成されていることを特徴としている。
【０００９】
上記の構成によれば、ベルト又は着衣が脚部の凹凸面に押し付けられて凹部に
くい込み状態となることで、ベルト又は着衣と凹凸面との間の摩擦力が大きくなる。このため、ボトルホルダーがベルトや着衣から抜け落ちたり装着位置からずれたりすることを防ぐことができる。
また、すべり止め部を凹凸面により構成しているため、ボトルホルダーの製造に射出成形などの簡単な方法を用いることができる。
【００１０】
ボトルホルダーの凹凸面は、互いに平行な複数の凹溝と、隣合う凹溝間に形成される複数の凸条とで構成されていることが好ましい。
【００１１】
複数の凹溝及び複数の凸条は、上下方向（縦方向）、上下方向に直交する方向（横方向）、斜め方向に形成されていてもよい。
【００１２】
上記の構成によれば、ベルト又は着衣が脚部の凹凸面に押し付けられた際に、凹溝や凸条と直交する方向の摩擦力が大きくなり、凹溝や凸条と直交する方向にボトルホルダーがずれにくくなる。
【００１３】
前記の各凹溝および各凸条が横方向に形成されたものである場合、各凸条は、凸条の長さ方向と直交する方向の断面形状が支持部の側へ傾いた鋸刃状に形成されていてもよい。
【００１４】
上記の構成によれば、凸条が支持部の側へ向いているので、ボトルホルダーの装着時にボトルホルダーに上向きの力が働いた場合であっても、ベルトや着衣に脚部の凸条が引っかかり、ボトルホルダーがベルトや着衣から抜けにくくなる。
【００１５】
上記構成のボトルホルダーの好ましい他の実施態様においては、前記凹凸面は、互いに平行な複数の第１の凹溝と、第１の凹溝と交差する互いに平行な複数の第２の凹溝と、第１、第２の凹溝により囲まれる複数の凸部とで形成されていることを特徴としている。
【００１６】
上記の構成によれば、第１、第２の凹溝が互いに交差するように形成されているので、ベルト又は着衣が脚部の凹凸面に押し付けられた際に、第１の凹溝に直交する方向と第2の凹溝に直交する方向とにボトルホルダーがずれにくくなる。
【００１７】
前記支持部は、下面が脚部のすべり止め部が設けられた面に対して鋭角をなしていてもよい。
【００１８】
前記支持部の下面が脚部のすべり止め部が設けられた面に対して鋭角である場合には、支持体にボトルを吊り下げた際に、脚部がボトルに対して傾くため、脚部をベルト又は着衣に差し込んだ場合に脚部のすべり止め部がベルト又は着衣により密着し、すべり止めの効果が大きくなる。
【００１９】
上記構成のボトルホルダーの好ましい他の実施態様においては、前記すべり止め部は、すべり止め部以外の部分より摩擦係数が大きな材質の素材により形成されていることを特徴としている。
【００２０】
上記の構成によれば、例えばゴムシートや軟質の樹脂シートなど、すべり止め部以外の部分より摩擦係数が大きな材質の素材を脚部の少なくともベルト又は着衣と接する側の面の全面又は一部に貼り付けることで、簡単にすべり止め部を形成することができる。
【００２１】
前記脚部は、ボトルの胴部の側面に貼設される第１の面ファスナーと対向する位置に、前記第１の面ファスナーと噛み合う第２の面ファスナーが取り付けられていてもよい。
【００２２】
上記の構成によれば、ボトルホルダーの脚部をベルトの内側に差し込んだ後、ボトルの第１の面ファスナーと脚部の第２の面ファスナーとを噛み合わせることで、面ファスナーの噛み合う部分が抜け止めとなり、ボトルホルダーがベルトから抜けるのを防止できる。
【００２３】
前記脚部は切り離し可能な切り離し部分を有し、前記切り離し部分には、ナイフ、スプーン、フォークのいずれかの食器、靴べら、レンズのいずれかの構成が付加されていてもよい。
【００２４】
上記の構成によれば、ボトルホルダーとしての機能が不要となった場合には、脚部から切り離し部分を切り離すことで、切り離し部分を食器、靴べら、レンズなど、他の用途に用いることができる。
【考案の効果】
【００２５】
本考案に係るボトルホルダーによると、脚部がベルトや着衣の内側に差し込まれたときに、脚部のベルト又は着衣と接する側の面にすべり止め部が設けられているので、ベルト又は着衣と脚部との間の摩擦力が大きくなる。このため、ボトルホルダーが装着位置からずれたり、抜け落ちたりするのを防ぐことができる。
【図面の簡単な説明】
【００２６】
【図１】本考案の一実施形態に係るボトルホルダーをベルトに差し込んだ状態の斜視図である。
【図２】図１のボトルホルダーの縦方向の断面図である。
【図３】凹凸面の他の例を示すボトルホルダーの側面図である。
【図４】凹凸面のさらに他の例を示すボトルホルダーの正面図である。
【図５】支持部の他の例を示すボトルホルダーの側面図である。
【図６】凸条の他の例を示すボトルホルダーの側面図である。
【図７】本考案の他の実施形態に係るボトルホルダーの側面図である。
【図８】支持部の他の例を示すボトルホルダーの平面図である。
【図９】支持部のさらに他の例を示すボトルホルダーの平面図である。
【図１０】本考案のさらに他の実施形態に係るボトルホルダーの側面図である。
【図１１】本考案の他の実施形態に係るボトルホルダーの斜視図である。
【考案を実施するための形態】
【００２７】
以下、本考案の実施形態について、添付図面を参照しながら説明する。
図１、図２は本考案の一実施形態に係るボトルホルダー１０を示す。
ボトルホルダー１０は、胴のベルトＢの内側へ上方より差し込むことが可能な帯板状の脚部１１と、脚部１１の上端部にボトルＰを吊り下げた状態で支持することが可能な支持部１２とを備えている。この実施形態では、脚部１１と支持部１２とは合成樹脂の射出成形により一体に形成されているが、脚部１１及び支持部１２はアルミニウムなどの軽量な金属を用いて形成することもでき、また、脚部１１は合成樹脂製、支持部１２は金属製とするなど、種々の設計変更が可能である。
【００２８】
脚部１１には、ベルトＢと接する側の面１１ａ、すなわち外向きの面の全面にベルトＢの内面とのすべりを防止するすべり止め部が形成されている。
この実施形態のすべり止め部は凹凸面１３より構成されている。凹凸面１３は、横方向に形成され互いに平行な複数の凹溝１３ａと、隣合う凹溝１３ａ間に形成される複数の凸条１３ｂとで構成されている。
図２に示すように、凹溝１３ａと凸条１３ｂの長さ方向と直交する方向から見た凸条１３ｂの断面形状は、本実施形態では三角形としているが、これに限定されるものではない（詳細は後述する）。
【００２９】
脚部１１の長手方向の長さは、すべり止め部（凹凸面１３）がベルトＢの内面と接するようにベルトＢの幅よりも長くし、また、ボトルホルダー１０をボトルＰに取り付けた際に脚部１１の下方がボトルＰの底から突出しない長さとしている。
また、本実施形態では、脚部１１のベルトＢと接する側の面１１ａの全面に凹凸面１３が形成されているが、これに限られるものではなく、脚部１１のベルトＢと接する側の面１１ａと反対側の面にも凹凸面１３が形成されていてもよく、さらに、ベルトＢの内面と凹凸面１３との間の摩擦力が大きくなれば、脚部１１のベルトＢと接する側の面１１ａの一部に凹凸面１３が形成されていてもよい。
【００３０】
支持部１２には、その中央部分に、ボトルＰの蓋部Ｐａの外形よりも小さく、蓋部Ｐａと嵌め合わされるボトルＰの口部Ｐｂの外径よりも若干大きい円形の挿入孔１４が形成されている。
支持部１２は、図２に示すように、支持部１２の下面１２ａが脚部１１のすべり止め部（凹凸面１３）が設けられた面に対して直角となるように脚部１１の上端に形成されている。
【００３１】
本考案のボトルホルダー１０をベルトＢに装着する際には、まず、支持部１２の挿入孔１４にボトルＰの口部Ｐｂを下方より挿入し、蓋部Ｐａを上方から口部Ｐｂに嵌め合わせて蓋部Ｐａで支持部１２を押さえつけることで、ボトルホルダー１０にボトルＰを吊り下げた状態で支持する。次に、脚部１１を上方よりベルトＢの内側に差し込み、支持部１２の下面をベルトＢの上端に当接させることで、ボトルホルダー１０がベルトＢに係止される。このとき、脚部１１のすべり止め部（凹凸面１３）がベルトＢの内面に押し付けられ、ベルトＢがすべり止め部の凹溝１３ａにくい込み状態となるので、ベルトＢとすべり止め部との間の摩擦力が大きくなり、ボトルホルダー１０が係止位置からずれたり、ベルトＢから抜け落ちたりするのを防ぐことができる。
【００３２】
以上、本考案の一実施形態について説明したが、本考案は上記実施形態に限定されるものではなく、本考案の趣旨を逸脱しない限りにおいて種々の変更が可能である。
【００３３】
本実施形態では、脚部１１はベルトＢの内側に差し込まれているが、これに限られるものではなく、ベルトＢにより締め付けられる着衣の内側へ差し込まれてもよい。
この場合は、着衣が脚部１１の凹凸面１３に押し付けられて凹部の内側にくい込み状態となるので、着衣と凹凸面１３との間の摩擦力が大きくなり、ボトルホルダー１０が着衣から抜け出たり装着位置からずれたりすることを防ぐことができる。
【００３４】
すべり止め部（凹凸面１３）の凹溝１３ａと凸条１３ｂの断面形状は、本実施形態の三角形状に限られるものではなく、例えば、図３（Ａ）に示すように四角形状であってもよく、図３（Ｂ）に示すように大きさ及び形状が不均一な三角形状であってもよい。
【００３５】
さらに、本実施形態では、すべり止め部の凹凸面１３は、複数の凹溝１３ａと複数の凸条１３ｂとが横方向に形成されているが、これに限られるものではなく、例えば、図４（Ａ）に示すように、縦方向に形成されていてもよい。この場合、ベルトＢの内面と凹凸面１３との間の横方向の摩擦力が大きくなり、ボトルホルダー１０が横方向にずれにくくなる。
また、図４（Ｂ）に示すように、複数の凹溝１３ａと複数の凸条１３ｂとが斜め方向に形成されていてもよい。この場合、ベルトＢの内面と凹凸面１３との間の縦、横の各方向の摩擦力が大きくなり、ボトルホルダー１０は上方向及び横方向にずれにくくなる。
【００３６】
さらに、横縦各方向の摩擦力を高めるために、図４（Ｃ）に示すように、凹凸面１３は、互いに平行な縦方向の複数の第１の凹溝１３ｃ−１と、第１の凹溝１３ｃ−１と交差する互いに平行な横方向の複数の第２の凹溝１３ｃ−２と、第１、第２の凹溝１３ｃ−１、１３ｃ−２により囲まれる複数の凸部１３ｄとで形成されていてもよい
【００３７】
本実施形態では、支持部１２は、支持部１２の下面１２ａが脚部１１のすべり止め部（凹凸面１３）が設けられた面に対して直角となるように形成されているが、これに限られるものではなく、例えば、図５に示すように、支持部１２の下面１２ａが脚部１１のすべり止め部が設けられた面に対して鋭角をなすようにしてもよい。
支持体にボトルＰを吊り下げた際に、脚部１１がボトルＰに対して傾くため、脚部１１をベルトＢ又は着衣に差し込んだ場合に脚部１１のすべり止め部がベルトＢ又は着衣により密着し、すべり止めの効果が大きくなる。
【００３８】
また、本実施形態の凸条１３ｂは、長さ方向と直交する方向の断面形状が正三角形状であるが、これに限られるものではなく、例えば、図６に示すように、支持部１２の側へ傾いた鋸刃状に形成されていてもよい。
上記の構成によれば、凸条１３ｂが支持部１２の側へ向いているので、ボトルホルダー１０の携帯中にボトルホルダー１０に上向きの力が働いた場合であっても、ベルトＢや着衣に脚部１１の凸条１３ｂが引っかかり、ボトルホルダー１０がベルトＢや着衣から抜け落ちにくくなる。
【００３９】
さらに、本実施形態のすべり止め部は、脚部１１の少なくともベルトＢ又は着衣と接する側の面１１ａに形成された凹凸面１３により構成されているが、これに限られるものではなく、例えば、図７に示すように、すべり止め部以外の部分より摩擦係数が大きな材質の素材１５を接着などにより貼り付けることで形成されていてもよい。摩擦係数が大きな材質の素材１５として、例えば、ゴムシート、軟質の樹脂シートなどがある。
【００４０】
本実施形態では挿入孔１４にボトルＰの口部Ｐｂを挿入しているが、これに限られるものではなく、支持部１２がボトルＰの蓋部Ｐａの外形よりも若干小さく変形可能な合成樹脂で形成されている場合には、挿入孔１４にボトルＰの蓋部Ｐａを挿入して支持部１２を蓋部Ｐａに係止してもよい。
また、図８に示すように、挿入孔１４の周囲に切込溝１４ａを設け、ボトルＰの口部Ｐｂの挿入時に挿入孔１４を変形させてボトルＰの蓋部Ｐａや口部Ｐｂを挿入しやすくしてもよい。
【００４１】
さらに、本実施形態では支持部１２には挿入孔１４が形成されているが、支持部１２の形状はこれに限定されるものではなく、ボトルホルダー１０にボトルＰを吊り下げた状態で支持することが可能な形状であればよい。例えば、図９に示すように、挿入孔１４の周縁部の一部を切り欠いて切り欠き部１４ｂを設けたＣ字形状としてもよい。この切り欠き１４ｂにより、ボトルＰの蓋部Ｐａや口部Ｐｂが挿入孔１４に挿入しやすくなる。
【００４２】
図１０に示す実施形態は、ボトルＰの胴部の側面に第１の面ファスナー１６Ａが貼設されている。
ボトルホルダー１０の脚部１１には、ベルトＢと接する側の面１１ａの上端部の領域にすべり止め部である凹凸面１３が形成されているとともに、ベルトＢと接する側の面１１ａの下端部であって、支持部１２の挿入孔１４にボトルＰの蓋部Ｐａを挿入した際に第１の面ファスナー１６Ａと対向する位置に、第１の面ファスナー１６Ａと噛み合う第２の面ファスナー１６Ｂが接着等により取り付けられている。
その他の構成については、図１の実施形態と同様であるため、同一の符号を付して説明を省略する。
【００４３】
前記構成によれば、ボトルホルダー１０の脚部１１をベルトＢの内側に差し込んだ後、ボトルＰの第１の面ファスナー１６Ａと脚部１１の第２の面ファスナー１６Ｂとを噛み合わせることで、面ファスナー１６Ａ、１６Ｂの噛み合い部分が抜け止めとなり、ボトルホルダー１０がベルトＢから抜けるのを防止できる。
【００４４】
図１１（Ａ）〜図１１（Ｃ）は本考案の他の実施形態に係るボトルホルダー１０を示す。
ボトルホルダー１０の脚部１１は、先端部の側に切り離し可能な切り離し部分１１２を有している。切り離し部分１１２は、破断が可能かつ容易な連接部１１１を介して脚部１１の残りの部分と一連につながっている。
連接部１１１は脚部１１の他の部分よりも薄肉に形成されており、脚部１１の上端側の位置に脚部１１の全幅にわたっている。連接部１１１は脚部１１を折ったり捻ったりすることで破断するが、ボトルホルダー１０をベルトＢに装着して使用する際には破断しないように強度が設定されている。
切り離し部分１１２には、図１１（Ａ）に示すように、レンズ１１３Ａの構成が付加されている。なお、図１１（Ｂ）に示すように凹状のスプーン１１３Ｂの構成が付加されていてもよく、また、ナイフ、フォークなどの食器の構成が付加されていてもよい。さらに、図１１（Ｃ）に示すように、凹状のすべり部分を備えた靴べら１１３Ｃの構成が付加されていてもよい。
その他の構成については、図１〜図１０の実施形態と同様であるため同一符号を付して説明を省略する。
【００４５】
上記の構成によれば、ボトルホルダー１０としての機能が不要となった場合には、脚部１１から切り離し部分１１２を切り離すことで、切り離し部分１１２を食器、靴べら、レンズなど、他の用途に用いることができる。
【００４６】
なお、連接部１１１は本実施形態には限定されず、例えばミシン目状のものであってもよい。また、切り離し部分１１２が切り離されることが可能であれば、連接部１１１は、例えば、脚部１１の切り離し部分１１２と脚部１１の残りの部分との間に、互いに噛み合う凹溝と凸条とを設けたものであってもよい。この実施形態では、切り離し部分１１２を残りの部分に対してスライドさせて凹溝と凸条との噛み合いを外すことにより、切り離し部分１１２の切り離しを行う。
また、連接部１１１を脚部１１の上端に設け、切り離し部分１１２を脚部１１全体としてもよい。
【符号の説明】
【００４７】
１０  ボトルホルダー
１１  脚部
１１ａ  ベルトと接する側の面
１１２  切り離し部分
１２  支持部
１３  凹凸面（すべり止め部）
１３ａ  凹溝
１３ｂ  凸条
１３ｃ−１、１３ｃ−２  第１、第２の凹溝
１３ｄ  凸部
１４  挿入孔
１５  摩擦係数が大きな材質の素材（すべり止め部）
１６Ａ  第１の面ファスナー
１６Ｂ  第２の面ファスナー
Ｂ  ベルト
Ｐ  ボトル
Ｐａ  ボトルの蓋部
【図１】
0003195863.tif 000003
【図２】
0003195863.tif 000004
【図３】
0003195863.tif 000005
【図４】
0003195863.tif 000006
【図５】
0003195863.tif 000007
【図６】
0003195863.tif 000008
【図７】
0003195863.tif 000009
【図８】
0003195863.tif 000010
【図９】
0003195863.tif 000011
【図１０】
0003195863.tif 000012
【図１１】
0003195863.tif 000013